(57)【要約】【課題】複数のアクセサリ装置を装着しても大型化することなく、ユーザにとって使い易いカメラシステム及びこのようなカメラシステムに用いられるカメラ用バッテリパックを提供すること。【解決手段】カメラ１の外装部に、カメラ１を縦位置に構えたときの操作性を向上させるための縦位置撮影用グリップ装置２が装着される。この縦位置撮影用グリップ装置２には、バッテリパック収納用開口４が設けられており、このバッテリパック収納用開口４を介してカメラ１に電源を供給するためのバッテリパック５が収納される。このバッテリパック５は無線送信機能も有しており、バッテリパック５を収納することによりカメラ１で撮影した画像を無線送信により外部装置に送信することができる。【選択図】図３
2006129045.tif 000002
【特許請求の範囲】
【請求項１】
撮影により画像データを得るデジタルカメラと、
第１の機能を有し、上記デジタルカメラの外装部に着脱自在に構成された第１のアクセサリ装置と、
上記第１の機能とは異なる第２の機能を有し、上記第１のアクセサリ装置の内部に収納自在に構成された第２のアクセサリ装置と、
を有することを特徴とするカメラシステム。
【請求項２】
上記第１のアクセサリ装置は、上記デジタルカメラを縦位置に構えたときの操作性を向上させる機能を第１の機能として有する縦位置撮影用グリップ装置を含み、
上記第２のアクセサリ装置は、上記撮影により得られた画像データを外部装置に無線送信する機能を第２の機能として有する無線装置を含むことを特徴とする請求項１に記載のカメラシステム。
【請求項３】
上記第１のアクセサリ装置は、上記デジタルカメラを縦位置に構えたときの操作性を向上させる機能を第１の機能として有する縦位置撮影用グリップ装置を含み、
上記第２のアクセサリ装置は、上記撮影により得られた画像データを蓄積する機能を第２の機能として有する記録装置を含むことを特徴とする請求項１に記載のカメラシステム。
【請求項４】
上記第１のアクセサリ装置は、上記デジタルカメラに電源を供給する機能を第１の機能として有するバッテリパックを含み、
上記第２のアクセサリ装置は、上記バッテリパック内に設けられていることを特徴とする請求項１に記載のカメラシステム。
【請求項５】
上記デジタルカメラは、第１の制御回路を含み、
上記第２のアクセサリ装置は、上記第１のアクセサリ装置を介して上記第１の制御回路と電気的に接続される第２の制御回路を含むことを特徴とする請求項１に記載のカメラシステム。
【請求項６】
デジタルカメラに電源供給を行うためのカメラ用バッテリパックにおいて、
上記デジタルカメラに電源供給を行うためのバッテリ本体と、
上記デジタルカメラの機能を拡張するための機能拡張用装置と、
を含み、
上記カメラ用バッテリパックは、上記デジタルカメラに装着されるアクセサリ装置の内部に収納されることを特徴とするカメラ用バッテリパック。
【請求項７】
上記機能拡張用装置は、上記デジタルカメラで撮影して得られた画像データを外部装置に無線送信する無線装置を含むことを特徴とする請求項６に記載のカメラ用バッテリパック。
【請求項８】
上記機能拡張用装置は、上記デジタルカメラで撮影して得られた画像データを蓄積する記録装置を含むことを特徴とする請求項６に記載のカメラ用バッテリパック。
【請求項９】
上記アクセサリ装置は、上記デジタルカメラを縦位置に構えたときの操作性を向上させるための縦位置撮影用グリップ装置を含むことを特徴とする請求項６に記載のカメラ用バッテリパック。
【発明の詳細な説明】
【技術分野】
【０００１】
本発明は、デジタルカメラに装着可能なアクセサリ装置とデジタルカメラとを含むカメラシステムと、このカメラシステムに用いられるカメラ用バッテリパックに関する。
【背景技術】
【０００２】
デジタルカメラ（以下、カメラと称する）の操作性を向上させるためや、カメラの機能を拡張するために、カメラの本体に取り付けて使用するアクセサリ装置に関しては従来から数多くの提案がなされている。
【０００３】
例えば、特許文献１には、カメラを縦位置に構えたときにも、カメラを横位置で構えたときと同様の操作性を確保するために、縦位置で構えたときに操作しやすい位置にレリーズ釦が配置されている、着脱式の縦位置撮影用グリップ装置が提案されている。また、この種の縦位置撮影用グリップ装置に大容量の電池を内蔵させ、縦位置撮影用グリップ装置をカメラの補助電源装置として使用できるものについては既に市販もされている。
【０００４】
また、特許文献２では、撮影により得られた画像ファイルを外部装置に転送する無線送信機能をカメラに付加するために、カメラ本体に対して着脱自在な無線送信装置が提案されている。
【０００５】
更に、特許文献３では、カメラ本体の電池収納部に多機能の接続端子を設けておき、電池収納部に無線受信機アダプタやＡＣアダプタを装着することで、カメラに無線受信機能を付加したり、ＡＣアダプタを介してカメラが電源供給を受けられるようにしたりできるようにした技術が提案されている。
【特許文献１】特開平１０−３１２５４号公報
【特許文献２】特開２００１−６９３８４号公報
【特許文献３】特開平３−９４５８４号公報
【発明の開示】
【発明が解決しようとする課題】
【０００６】
上記したようなアクセサリ装置をカメラ本体に装着自在とすることにより、カメラの機能を拡張することができる反面、異なる機能を有するアクセサリ装置を併用する場合には、必然的にカメラ全体が大型化してしまう。
【０００７】
本発明は、上記の事情に鑑みてなされたもので、複数のアクセサリ装置を装着しても大型化することなく、ユーザにとって使い易いカメラシステム及びこのようなカメラシステムに用いられるカメラ用バッテリパックを提供することを目的とする。
【課題を解決するための手段】
【０００８】
上記の目的を達成するために、本発明の第１の態様によるカメラシステムは、撮影により画像データを得るデジタルカメラと、第１の機能を有し、上記デジタルカメラの外装部に着脱自在に構成された第１のアクセサリ装置と、上記第１の機能とは異なる第２の機能を有し、上記第１のアクセサリ装置の内部に収納自在に構成された第２のアクセサリ装置とを有することを特徴とする。
【０００９】
この第１の態様によれば、デジタルカメラの外装部に着脱自在な第１のアクセサリ装置の内部に第２のアクセサリ装置を収納できるようにしたので、カメラに複数のアクセサリ装置を装着してもカメラが大型化することがない。
【００１０】
また、上記の目的を達成するために、本発明の第２の態様によるカメラ用バッテリパックは、デジタルカメラに電源供給を行うためのカメラ用バッテリパックにおいて、上記デジタルカメラに電源供給を行うためのバッテリ本体と、上記デジタルカメラの機能を拡張するための機能拡張用装置とを含み、上記カメラ用バッテリパックは、上記デジタルカメラに装着されるアクセサリ装置の内部に収納されることを特徴とする。
【００１１】
この第２の態様によれば、デジタルカメラの外装部に着脱自在なアクセサリ装置の内部に機能拡張用装置を含むバッテリパックを収納できるようにしたので、カメラに複数のアクセサリ装置を装着してもカメラが大型化することがない。
【発明の効果】
【００１２】
本発明によれば、複数のアクセサリ装置を装着しても大型化することなく、ユーザにとって使い易いカメラシステム及びこのようなカメラシステムに用いられるカメラ用バッテリパックを提供することができる。
【発明を実施するための最良の形態】
【００１３】
以下、図面を参照して本発明の実施形態を説明する。  
［第１の実施形態］
図１は、本発明の第１の実施形態に係るカメラシステムに用いられるカメラの外観図である。ここで、図１は、一眼レフレクスカメラを横位置で構えたときの様子を示す図である。なお、図１のカメラ１は、従来周知の構成のものであり、ボディユニット５０と、レンズユニット５１とから構成されている。ボディユニット５０は、カメラ１の本体部である。ここで、ボディユニット５０の外装部には、撮影動作を開始させるためのレリーズ釦５０ａが配置されている。また、レンズユニット５１は、ボディユニット５０の前面に設けられた図示しないレンズマウントを介して着脱自在に構成されたレンズ鏡筒である。
【００１４】
図１に示すように、カメラ１を横位置に構えた状態では、使用者は、カメラ１に設けられたレリーズ釦５０ａを容易に操作することができるようになっている。しかしながら、使用者がカメラ１を図２のようにして構えた場合には、使用者の指がレリーズ釦５０ａに届かなくなってしまう。
【００１５】
そこで、カメラ１を縦位置に構えたときの操作性を向上させるために、図２に示すように、縦位置撮影用グリップ装置２をカメラ１の外装に装着する。縦位置撮影用グリップ装置２は、カメラ１の底面に装着自在に構成されており、三脚ネジ３によりカメラ１の本体に固定される。ここで、縦位置撮影用グリップ装置２にはレリーズ釦２ａが設けられている。このレリーズ釦２ａは、カメラ１を図２のような縦位置で構えたときに使用者が操作し易いような位置に設けられている。
【００１６】
図３は、カメラと、縦位置撮影用グリップ装置と、カメラ用バッテリパック（以下、バッテリパックと称する）とで構成される本発明の第１の実施形態に係るカメラシステムの外観図である。図３に示すように、バッテリパック５は、縦位置撮影用グリップ装置２に設けられたバッテリパック収納用開口４を介して縦位置撮影用グリップ装置２内に収納自在に構成されている。これにより、バッテリパック５からカメラ１に電源を供給することができる。ここで、バッテリパック５の電源はカメラ１に内蔵の電源よりも大容量の直流電源を想定している。
【００１７】
図４は、バッテリパック５の構成について示す外観図である。第１の実施形態において、バッテリパック５は、カメラ１に電源を供給する機能の他に、カメラ１で撮影して得られた画像データを外部装置に無線送信するための無線送信装置としての機能も有している。即ち、第１の実施形態におけるバッテリパック５は、カメラ１に電源を供給するためのバッテリ本体部５ａと、カメラ１に画像データの無線送信機能を付加する機能拡張用装置としての無線装置部５ｂとから構成されている。これらバッテリ本体部５ａ及び無線装置部５ｂの詳細な構成については後で説明する。
【００１８】
図４において、バッテリ本体部５ａには、バッテリパック５を縦位置撮影用グリップ装置２に収納した際に、両者を電気的に接続するための電源接続端子３０３、３０４が設けられている。これら電源接続端子３０３、３０４を介してバッテリ本体部５ａ内に設けられた電源電池から電力が供給される。
【００１９】
また、図４において、バッテリパック５の無線装置部５ｂには、アンテナ５ｅが配置されている。ここで、アンテナ５ｅの構成については特に限定されるものではないが、例えばチップアンテナやフィルムアンテナなどの面実装型のアンテナを用いることでアンテナを小型化することができる。
【００２０】
また、図４に示すバッテリパック５には、ロックレバー５ｃ及びロックピン５ｄが設けられている。ここで、ロックピン５ｄは、ロックレバー５ｃを回転させることにより、出たり引っ込んだりするように構成されている。このような構成により、ロックピン５ｄを介してバッテリパック５を縦位置撮影用グリップ装置２に固定することができる。
【００２１】
図５は、図４の矢印Ａ方向、即ちバッテリパック５を縦位置撮影用グリップ装置２に収納したときに、縦位置撮影用グリップ装置２に当接する面方向からバッテリパック５を見たときの外観図である。図５に示すように、上記当接面には、収納検知部材５ｆと、無線装置通信コネクタ１１２とが設けられている。
【００２２】
収納検知部材５ｆは、縦位置撮影用グリップ装置２にバッテリパック５が収納されたことを検知するための部材である。即ち、縦位置撮影用グリップ装置２にバッテリパック５が収納された際には、収納検知部材５ｆが押されるので、これを検知することで縦位置撮影用グリップ装置２にバッテリパック５が収納されたことを検知することができる。
【００２３】
また、無線装置通信コネクタ１１２は、縦位置撮影用グリップ装置２とバッテリパック５とを通信接続するためのコネクタである。この無線装置通信コネクタ１１２を介して、カメラ１で得られた画像データがバッテリパック５の無線装置部５ｂに転送される。
【００２４】
図６は、バッテリパック５を縦位置撮影用グリップ装置２に収納した状態で、縦位置撮影用グリップ装置２をカメラ１に装着したときの外観図である。図６に示すように、第１の実施形態では、カメラ１に縦位置撮影機能を与え、バッテリパック５から電源供給を行うことができ、さらにカメラ１で得られた画像データを外部装置に無線送信することができるが、バッテリパック５そのものに無線送信機能を付加し、かつバッテリパック５を縦位置撮影用グリップ装置２に収納できるようにしたので、カメラ全体の大きさは、縦位置撮影用グリップ装置２の大きさ分だけしか増加しない。また、アンテナ５ｅも小型のアンテナを用いることで、撮影時などに邪魔になることがない。
【００２５】
図７は、カメラ１、縦位置撮影用グリップ装置２、バッテリパック５の内部の通信系と電源系の電気回路構成について示す図である。  
図７に示すように、バッテリパック５は、電池２０１と、無線装置内電気回路１１１１と、安定化回路１１１２と、ＰＷスイッチ（ＰＷＳＷ）１１１３とから構成されている。このような構成において、バッテリパック５が縦位置撮影用グリップ装置２に装着されると、電池２０１の電力が電源接続端子３０３、３０４を介して縦位置撮影用グリップ装置２に供給される。また、収納検知部材５ｆが押されて電源ＳＷ１１１３がＯＮし、安定化回路１１１２を介してバッテリパック５の無線装置部５ｂ内部に設けられた第２の制御回路としての無線装置内電気回路１１１１に供給される。また、安定化回路１１１２では、電池２０１から供給される電源の電圧が安定化される。
【００２６】
電源接続端子３０３、３０４を介して供給された電力は、縦位置撮影用グリップ装置２に設けられた電源接続端子３０７、３０８を介してカメラ１のボディユニット５０に供給される。グリップ側操作スイッチ（ＳＷ）１１７は、縦位置撮影用グリップ装置２のレリーズ釦２ａの操作に応答してオンオフするスイッチ部材である。使用者によってレリーズ釦２ａが押されることにより、グリップ側操作ＳＷ１１７から、撮影を開始させるための撮影開始信号が、グリップ通信コネクタ１１８を介してボディユニット５０内部の第１の制御回路としてのカメラ内電気回路５０１に出力される。
【００２７】
電源接続端子３０７、３０８を介してボディユニット５０に供給された電源の電圧は、安定化回路５０２において安定化された後、カメラ内電気回路５０１及びレンズユニット５１内部のレンズ内電気回路５１１に供給される。
【００２８】
また、ボディユニット５０は、グリップ通信コネクタ１１８、無線装置通信コネクタ１１２を介してバッテリパック５の無線装置部５ｂに設けられた無線装置内電気回路１１１１と通信可能である。
【００２９】
図８は、カメラ１、縦位置撮影用グリップ装置２、バッテリパック５の無線装置部５ｂの詳細な電気回路構成について示すブロック図である。なお、図８においては、電源系の図示を省略している。
【００３０】
図８において、レンズユニット５１は、撮影レンズ６１ａ、６１ｂと、絞り６２と、レンズ駆動機構６３と、絞り駆動機構６４と、レンズ制御用マイクロコンピュータ６５とから構成されている。
【００３１】
撮影レンズ６１ａ、６１ｂは、レンズ駆動機構６３内に存在する図示しないＤＣモータによって、その光軸方向（図示一点鎖線で示す方向）に駆動される。絞り６２は、絞り駆動機構６４内に存在する図示しないステッピングモータによって駆動され、撮影レンズ６１ａ、６１ｂを介して入射される図示しない被写体からの光束の光量を調整してボディユニット５０方向に入射させる。レンズ制御用マイクロコンピュータ６５は、レンズ駆動機構６３や絞り駆動機構６４等、レンズユニット５１内の各部を駆動制御する。このレンズ制御用マイクロコンピュータ６５は、レンズ通信コネクタ５５を介して、後述するボディ制御用マイクロコンピュータ８５との間でデータ通信可能に構成されており、ボディ制御用マイクロコンピュータ８５の指令に従って制御される。ボディ制御用マイクロコンピュータ８５は、ボディユニット５０内部の、画像処理コントローラ８１と、測光回路８６と、ミラー駆動機構８７と、ＡＦセンサ駆動回路８８と、シャッタ駆動制御回路９０等に接続されており、これら各回路の制御も行う。このような制御は、ボディ制御用マイクロコンピュータ８５からアクセス可能に設けられた不揮発性メモリ（例えばＥＥＰＲＯＭ）９１に記憶された所定の制御プログラムに従って行われる。なお、不揮発性メモリ９１には、カメラ制御に必要な所定の制御パラメータも記憶されている。
【００３２】
撮影時には、図示しない被写体からの光束が、レンズユニット５１内の撮影レンズ６１ａ、６１ｂ、及び絞り６２を介してボディユニット５０内のクイックリターンミラー７０に入射される。ここで、クイックリターンミラー７０は、ミラー駆動機構８７により移動可能に構成されている。即ち、ミラー駆動機構８７は、クイックリターンミラー７０をアップ位置（撮影レンズ６１ａ、６１ｂの光軸から退避する位置）とダウン位置（図示の位置）とに移動させるための駆動機構である。
【００３３】
ミラー駆動機構８７によりクイックリターンミラー７０がダウン位置に移動された時には、撮影レンズ６１ａ及び６１ｂからの光束の一部は、クイックリターンミラー７０で反射されて、フォーカシングスクリーン７１、ペンタプリズム７２を介して接眼レンズ７３に至る。これにより接眼レンズ７３を介して使用者は被写体を目視できる。また、ペンタプリズム７２の近傍には、測光回路８６が配置されている。測光回路８６には図示しないフォトセンサが設けられており、このフォトセンサにおいて検出された光束の光量に基づいて周知の測光処理が行われる。
【００３４】
また、クイックリターンミラー７０に入射した光束の一部はクイックリターンミラー７０を透過して、この透過した光束が、クイックリターンミラー７０に設置されたサブミラー７５で反射される。そして、サブミラー７５で反射された光束は、自動測距を行うためのＡＦセンサユニット７６に導かれる。ＡＦセンサユニット７６内には、図示しないＡＦセンサが設けられており、このＡＦセンサからの出力は、ＡＦセンサ駆動回路８８を介してボディ制御用マイクロコンピュータ８５へ送信される。そして、ボディ制御用マイクロコンピュータ８５において周知の測距処理が行われる。
【００３５】
また、クイックリターンミラー７０の後方には、フォーカルプレーン式のシャッタユニット２１と、光学系を通過した被写体像を光電変換するための撮像素子（ＣＣＤ）４０を収容した撮像ユニット２２とを備えた撮像モジュールが設けられている。
【００３６】
ここで、シャッタユニット２１は、シャッタ駆動制御回路９０により開閉駆動される。シャッタ駆動制御回路９０に、ボディ制御用マイクロコンピュータ８５からのシャッタ駆動制御信号が入力されると、その信号に基づいてシャッタユニット２１が制御される。それと共に、シャッタ駆動制御回路９０から、所定のタイミングでストロボを発光させるためのストロボ同調信号が、ボディ制御用マイクロコンピュータ８５に出力される。このストロボ同調信号に基づいて、ボディ制御用マイクロコンピュータ８５からストロボユニット５３に発光指令信号が出力される。
【００３７】
ここで、ストロボユニット５３は、閃光発光部１０１と、ストロボ発光回路１０２と、ストロボ制御用マイクロコンピュータ１０３及び電池１０４とから構成されている。即ち、ストロボユニット５３は、ストロボ通信コネクタ５７を介してボディユニット５０と通信可能に装着できるようになっている。
【００３８】
ミラー駆動機構８７によりクイックリターンミラー７０がアップ位置に移動され、シャッタ駆動制御回路９０によりシャッタ２１が開かれると、撮影レンズ６１ａ及び６１ｂを通過した光束は撮像素子４０に結像される。ここで、クイックリターンミラー７０がアップ位置にある時には、サブミラー７５は折り畳まれるようになっている。
【００３９】
撮像素子４０には、撮像素子インターフェイス回路８０が接続されている。撮像素子インターフェイス回路８０では、ボディ制御用マイクロコンピュータ８５からの撮像信号読み出し開始信号に従って、撮像素子４０における光電変換によって得られた撮像信号が読み出される。その後、読み出された撮像信号がデジタルの画像データに変換され、変換された画像データが画像処理コントローラ８１を介して一時保管用メモリであるＳＤＲＡＭ８２に格納される。このＳＤＲＡＭ８２は、画像データが変換される際のワークエリア等に使用されている。
【００４０】
ＳＤＲＡＭ８２に格納された画像データは、画像処理コントローラ８１により読み出されて、読みだされた画像データに対し、画像ホワイトバランス補正処理、色変換処理、ガンマ変換処理等の周知の画像処理が施される。その後、周知のＪＰＥＧ圧縮処理が施されてＪＰＥＧデータが生成され、得られたＪＰＥＧデータがＳＤＲＡＭ８２に格納される。このＳＤＲＡＭ８２に格納されたＪＰＥＧデータが、画像処理コントローラ８１により再び読み出され、通信コネクタ５６を介して記録メディア５２に記録される。ここで、記録メディア５２は、各種のメモリカードや外付けのハードディスクドライブ（ＨＤＤ）等の外部記録媒体であり、通信コネクタ５６を介してボディユニット５０と通信可能、且つ交換可能に装着される。
【００４１】
また、ボディ制御用マイクロコンピュータ８５には、更に動作表示用ＬＣＤ９２と、カメラ操作スイッチ（ＳＷ）９３とが接続されている。
【００４２】
動作表示用ＬＣＤ９２は、カメラ１の動作状態を表示出力によって使用者へ告知するためのものである。
【００４３】
また、カメラ操作ＳＷ９３は、例えば撮影動作の実行を指示するレリーズ釦５０ａに応答してオンオフするレリーズスイッチ、カメラの動作モードを撮影モードと画像表示モードとの間で切り替えるためのモード変更スイッチ、及びカメラ１の電源をオンオフするためのパワースイッチ等のスイッチ群で構成される。
【００４４】
使用者によってカメラ操作スイッチ９３の中のモード変更スイッチが操作されて、カメラの動作モードが撮影モードから画像表示モードへ切り替えられると、記録メディア５２に保管されたＪＰＥＧデータが画像処理コントローラ８１により読み出されて伸長される。その後、伸長されたデータがビデオ信号に変換され、液晶モニタ８３に画像表示が行われる。
【００４５】
また、カメラ１に縦位置撮影用グリップ装置２が装着されたときには、カメラ１内のボディ制御用マイクロコンピュータ８５は、縦位置撮影用グリップ装置２のグリップ通信コネクタ１１８及びバッテリパック５の無線装置通信コネクタ１１２を介してバッテリパック５の無線装置部５ｂ内に設けられた無線装置制御用マイクロコンピュータ１１５と通信可能なように接続される。これにより、画像処理コントローラ８１で処理された画像データをボディ制御用マイクロコンピュータ８５から無線装置制御用マイクロコンピュータ１１５に転送することが可能である。
【００４６】
無線装置制御用マイクロコンピュータ１１５では、転送されてきた画像データに対して変調処理などの無線送信に必要な処理が施され、処理された画像データが無線送信回路１１３に出力される。また、無線装置制御用マイクロコンピュータ１１５には、ＳＤＲＡＭ１１４が接続されている。このＳＤＲＡＭ１１４は、無線装置制御用マイクロコンピュータ１１５における無線送信に関する各種処理の際のワークメモリとして用いられる。
【００４７】
画像データが無線送信回路１１３に出力されると、無線装置制御用マイクロコンピュータ１１５では、無線送信回路１１３を制御してアンテナ５ｅを介して画像データを外部装置に送信する制御が実行される。
【００４８】
以上説明したように、第１の実施形態によれば、縦位置撮影用グリップ装置に収納可能なバッテリパックに無線送信機能を付加したので、カメラにない複数の機能を同時に付加してもカメラが大型化することがない。
【００４９】
［第２の実施形態］
次に、本発明の第２の実施形態について説明する。第２の実施形態は、バッテリパック５に付加する機能拡張用装置として大容量記録装置を付加した例である。
【００５０】
図９は、カメラ１、縦位置撮影用グリップ装置２、バッテリパック５の記録装置部２１１の詳細な電気回路構成について示すブロック図である。なお、電源系については第１の実施形態で説明したものと同様であるので図示を省略している。
【００５１】
以下の説明において、第１の実施形態と同様の部分については説明を省略する。即ち、第２の実施形態においては、カメラ１に縦位置撮影用グリップ装置２を装着したときに、カメラ１内のボディ制御用マイクロコンピュータ８５が、縦位置撮影用グリップ装置２のグリップ通信コネクタ１１８及びバッテリパック５の記録装置コネクタ１１２ａを介してバッテリパック５の記録装置部２１１内に設けられた記録装置制御用マイクロコンピュータ２１５と通信可能なように接続される。これにより、画像処理コントローラ８１で処理された画像データをボディ制御用マイクロコンピュータ８５から記録装置制御用マイクロコンピュータ２１５に転送することが可能である。
【００５２】
記録装置制御用マイクロコンピュータ２１５では、転送されてきた画像データを記録回路２１３に記録させる。ここで、記録装置制御用マイクロコンピュータ２１５には、ＳＤＲＡＭ２１４が接続されている。このＳＤＲＡＭ２１４は、ボディ制御用マイクロコンピュータ８５から転送されてきた画像データが格納されるワークメモリとして用いられる。
【００５３】
以上説明したように、第２の実施形態によれば、縦位置撮影用グリップ装置に収納可能なバッテリパックに画像データ記録機能を付加したので、カメラに複数の機能を同時に付加してもカメラが大型化することがない。
【００５４】
以上実施形態に基づいて本発明を説明したが、本発明は上記した実施形態に限定されるものではなく、本発明の要旨の範囲内で種々の変形や応用が可能なことは勿論である。
【００５５】
例えば、上記した各実施形態では、縦位置撮影用グリップ装置２に画像データの無線送信機能や画像データの記録機能を有するバッテリパック５を収納できるようにしているが、縦位置撮影用グリップ装置２に直接、無線送信装置や記録装置を収納できるようにしても良い。
【００５６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５７】
【図１】本発明の第１の実施形態に係るカメラシステムに用いられるカメラの外観図である。
【図２】カメラに縦位置撮影用グリップ装置を装着したときの様子を示す図である。
【図３】カメラと、縦位置撮影用グリップ装置と、カメラ用バッテリパックとで構成される本発明の第１の実施形態に係るカメラシステムの外観図である。
【図４】バッテリパックの構成について示す外観図である。
【図５】バッテリパックを縦位置撮影用グリップ装置に収納したときに、縦位置撮影用グリップ装置に当接する面方向からバッテリパックを見たときの外観図である。
【図６】バッテリパックを縦位置撮影用グリップ装置に収納した状態で、縦位置撮影用グリップ装置をカメラに装着したときの外観図である。
【図７】カメラ、縦位置撮影用グリップ装置、バッテリパックの内部の通信系と電源系の電気回路構成について示す図である。
【図８】カメラ、縦位置撮影用グリップ装置、バッテリパックの無線装置部の詳細な電気回路構成について示すブロック図である。
【図９】本発明の第２の実施形態に係るカメラシステムにおける、カメラ、縦位置撮影用グリップ装置、バッテリパックの記録装置部の詳細な電気回路構成について示すブロック図である。
【符号の説明】
【００５８】
１…カメラ、２…縦位置撮影用グリップ装置、２ａ，５０ａ…レリーズ釦、３…三脚ネジ、４…バッテリパック収納用開口、５…バッテリパック、５ａ…バッテリ本体部、５ｂ…無線装置部、５ｃ…ロックレバー、５ｄ…ロックピン、５ｅ…アンテナ、５ｆ…収納検知部材、…ボディユニット、１１２…無線装置通信コネクタ、１１２ａ…記録装置コネクタ、１１３…無線送信回路、１１４，２１４…ＳＤＲＡＭ、１１５…無線装置制御用マイクロコンピュータ、１１７…グリップ側操作スイッチ（ＳＷ）、１１８…グリップ通信コネクタ、２０１…電池、２１１…記録装置部、２１３…記録回路、２１５…記録装置制御用マイクロコンピュータ、３０３，３０４，３０７，３０８…電源接続端子、５０１…カメラ内電気回路、５０２…安定化回路、５１１…レンズ内電気回路、１１１１…無線装置内電気回路、１１１２…安定化回路、１１１３…ＰＷスイッチ（ＳＷ）
【図１】
2006129045.tif 000003
【図２】
2006129045.tif 000004
【図３】
2006129045.tif 000005
【図４】
2006129045.tif 000006
【図５】
2006129045.tif 000007
【図６】
2006129045.tif 000008
【図７】
2006129045.tif 000009
【図８】
2006129045.tif 000010
【図９】
2006129045.tif 000011